(57)【要約】【課題】高さ寸法の異なるブロックへの適用が可能である保持具を提供すること。【解決手段】スラブ型枠上に配置された下端鉄筋のような鉄筋の上方にブロックを保持するために用いられる保持具（２４）は、鉄筋上に配置される、前記ブロックを受け入れるための枠体（２６）と、枠体に受け入れられたブロック（１４）と鉄筋（１６）との間に間隔を維持するための複数のスペーサ（２８）とを含み、枠体は、ロッド（３０）と、これを鉄筋の上方に水平に支持するための複数の脚（３２）とからなり、脚はロッドにこれと平行な軸線の周りに回転可能に取り付けられている。【選択図】  図２
2004346566.tif 000002
【特許請求の範囲】
【請求項１】
複数のブロックが埋設された鉄筋コンクリート床スラブを形成するためにスラブ型枠上の鉄筋の上方にブロックを保持するための保持具であって、
前記鉄筋上に配置される、前記ブロックを受け入れるための枠体と、該枠体に受け入れられた前記ブロックと前記鉄筋との間に間隔を維持するための複数のスペーサとを含み、
前記枠体は前記ブロックの受入れ高さを調整可能である、保持具。
【請求項２】
複数のブロックが埋設された鉄筋コンクリート床スラブを形成するためにスラブ型枠上の鉄筋の上方にブロックを保持するための保持具であって、
前記鉄筋上に配置される、前記ブロックを受け入れるための枠体と、該枠体に受け入れられた前記ブロックと前記鉄筋との間に間隔を維持するための複数のスペーサとを含み、
前記枠体は、ロッドと、該ロッドを前記鉄筋の上方に水平に支持するための複数の脚であって前記ロッドにこれと平行な軸線の周りに回転可能に取り付けられた複数の脚とからなる、保持具。
【請求項３】
さらに、各脚の回転運動を制限する制限手段を含む、請求項２に記載の保持具。
【請求項４】
前記複数の脚は、全体にＵ字形を呈する一対の脚からなり、前記制限手段は、両脚に係止可能である鉤形の両端部を有する棒状体からなる、請求項３に記載の保持具。
【請求項５】
前記ブロックは発泡プラスチック材料からなり、前記スペーサは前記ロッドに平行な軸線の周りに回転可能であるように各脚に支承された、前記ブロックに食い込み可能の平歯車からなる、請求項２〜４のいずれか１項に記載の保持具。
【請求項６】
さらに、前記枠体を前記スラブ型枠又は前記鉄筋に固定するための固定手段を含む、請求項１又は２に記載の保持具。
【請求項７】
前記固定手段は、前記ロッドに係止可能の一端部と雄ねじが設けられた他端部とを有する棒状部材と、前記スラブ型枠の下方から該スラブ型枠を貫通して上方へ伸びる軸部を有する頭付きボルトと、前記棒状部材の他端部と前記頭付きボルトの軸部とに螺合されたナットとからなる、請求項７に記載の保持具。
【請求項８】
前記固定手段は、前記ロッドに係止可能の一端部と雄ねじが設けられた他端部とを有する棒状部材と、前記スラブ型枠の下方から該スラブ型枠を貫通して上方へ伸びる軸部を有する頭付きボルトと、該頭付きボルトの軸部に螺合された雌ねじ部を有し、また前記棒状部材の他端部を受入れ可能の空間及び該空間に連なる切欠きを有する継手部材と、該継手部材の空間に受け入れられかつ前記棒状部材の他端部に螺合されたナットとからなる、請求項７に記載の保持具。
【請求項９】
前記固定手段は、前記ロッドに係止可能の一端部と雄ねじが設けられた他端部とを有する棒状部材と、前記スラブ型枠に取り付けられ該スラブ型枠の下方から該スラブ型枠を貫通するナットと、前記スラブ型枠の下方から前記ナットに螺合された雄ねじ部材と、該雄ねじ部材に螺合された雌ねじ部を有し、また前記棒状部材の他端部を受入れ可能の空間及び該空間に連なる切欠きを有する継手部材と、該継手部材の空間に受け入れられかつ前記棒状部材の他端部に螺合された他のナットとからなる、請求項７に記載の保持具。
【発明の詳細な説明】
【０００１】
【発明の属する技術分野】
本発明は、ボイドスラブと称されることがある鉄筋コンクリート床スラブの形成に際し、前記鉄筋コンクリート床スラブ中に埋設される複数のブロックをスラブ型枠の上方に保持するために用いられる保持具に関する。
【０００２】
【従来の技術】
前記ボイドスラブに埋設されるブロックとして、発泡スチロールのような発泡プラスチックで形成された軽量のものが用いられている。前記ブロックは、スラブ型枠上へのコンクリートの打設に先立ち、特別な保持具を用いて、前記スラブ型枠上に予め設置された下端鉄筋のような鉄筋の上方空間に保持される。また、前記保持具は前記スラブ型枠又は鉄筋に固定され、前記スラブ型枠上へのコンクリートの打設に伴って生じる前記ブロックの浮遊及び水平方向移動を阻止する（例えば特許文献１参照）。
【０００３】
【特許文献１】
特開平１１−１０７４２３号公報（第２〜３頁）
【０００４】
【発明が解決しようとする課題】
前記従来の保持具は枠体を含み、該枠体は、前記ブロックの上方を水平に伸びる１又は２の棒状の上部材と、前記ブロックの下方を前記上部材と平行に伸びる棒状の一対の下部材と、上下の両部材に固定され前記ブロックの周囲を取り巻く折り曲げ部材とからなる。
【０００５】
ところで、前記枠体の上下部材間の高さ寸法は、枠体が保持すべきブロックの高さ寸法に合わせて予め定められている。このため、前記枠体は、ボイドスラブ施工現場によって異なる高さ寸法を有する種々のブロックに合わせた製造を必要とする。
【０００６】
本発明の目的は、高さ寸法の異なるブロックへの適用が可能である保持具を提供することにある。
【０００７】
【課題を解決するための手段】
本発明は、複数のブロック（例えば発泡プラスチック製のブロック）が埋設された鉄筋コンクリート床スラブを形成するため、スラブ型枠上に配置された下端鉄筋のような鉄筋の上方にブロックを保持するための保持具に係る。
【０００８】
この保持具は、前記鉄筋上に配置される、前記ブロックを受け入れるための枠体と、該枠体に受け入れられた前記ブロックと前記鉄筋との間に間隔を維持するための複数のスペーサとを含み、前記枠体は前記ブロックの受入れ高さを調整可能である。
【０００９】
本発明の１つの態様において、前記枠体は、ロッドと、該ロッドを前記鉄筋の上方に水平に支持するための複数の脚であって前記ロッドにこれと平行な軸線の周りに回転可能に取り付けられた複数の脚とからなる。
【００１０】
本発明に係る保持具は、さらに、各脚の回転運動を制限する制限手段を含むものとすることができる。前記複数の脚について全体にＵ字形を呈する一対の脚からなるものとし、かつ前記制限手段について両脚に係止可能である鉤形の両端部を有する棒状体からなるものとすることができる。
【００１１】
前記ブロックが発泡プラスチック材料からなる場合には、前記スペーサとして、前記ロッドに平行な軸線の周りに回転可能であるように各脚に支承された、前記ブロックに食い込み可能の平歯車からなるものとすることができる。
【００１２】
前記保持具は、さらに、その枠体を前記スラブ型枠又は前記鉄筋に固定するための固定手段を含むものとすることができる。
【００１３】
前記固定手段は、例えば、前記ロッドに係止可能の一端部と雄ねじが設けられた他端部とを有する棒状部材と、前記スラブ型枠の下方から該スラブ型枠を貫通して上方へ伸びる軸部を有する頭付きボルトと、前記棒状部材の他端部と前記頭付きボルトの軸部とに螺合されたナットとからなる。
【００１４】
あるいは、また、前記固定手段は、前記棒状部材と、前記頭付きボルトと、該頭付きボルトの軸部に螺合された雌ねじ部を有し、また前記棒状部材の他端部を受入れ可能の空間及び該空間に連なる切欠きを有する継手部材と、該継手部材の空間に受け入れられかつ前記棒状部材の他端部に螺合されたナットとからなる。前記頭付きボルトを用いることに代えて、頭部を有しない単なる雄ねじ部材とし、かつ前記雄ねじ部材が螺合される、前記スラブ型枠に埋め込まれたナットとすることができる。
【００１５】
【発明の作用および効果】
本発明によれば、ブロックを受け入れる枠体について、前記ブロックの受入れ高さを調整可能としたことから、高さ寸法の異なるブロックであってもこれを前記枠体に受け入れることができる。前記枠体に受け入れられたブロックは、前記スペーサにより、前記鉄筋から間隔をおいてその上方位置に保持することができ、これにより、前記ブロックと前記鉄筋との間にコンクリートの充填空間を確保することができる。
【００１６】
前記枠体について、ロッドと、該ロッドを前記鉄筋上に水平に支持する複数の脚であって前記ロッドにこれと平行な軸線の周りに回転可能に取り付けられた複数の脚とを含むものとするときは、前記ロッドに対して前記脚を回転させて前記脚の鉛直線に対する角度（開き角度）を変えることができ、これにより、前記枠体における前記ブロックの受入れ高さを調整することができる。
【００１７】
前記脚の回転運動はこれを制限する制限部材、例えば前記一対の脚に係止可能である鉤形の両端部を有する棒状体により制限し、前記ブロックの受入れ高さすなわち前記ロッドの高さ位置を維持することができる。
【００１８】
前記ブロックが発泡プラスチック材料からなるときは、前記スペーサとして、前記ロッドに平行な軸線の周りに回転可能であるように各脚に支承された、前記ブロックに食い込み可能の平歯車を用いることができる。
【００１９】
前記枠体は、固定手段を介して、これを前記鉄筋または前記スラブ型枠に固定することができ、これにより、前記スラブ型枠内へのコンクリートの打設に伴って生じるブロックの浮き上がりを防止することができる。
【００２０】
前記固定手段について、前記ロッドに係止可能の一端部と雄ねじが設けられた他端部とを有する棒状部材と、前記スラブ型枠の下方から該スラブ型枠を貫通して上方へ伸びる軸部を有する頭付きボルトと、前記棒状部材の他端部と前記頭付きボルトの軸部とに螺合されたナットとからなるものとするときは、前記スラブ型枠上へのコンクリートの打設、固化後、前記スラブ型枠の下方位置において前記頭付きボルトを回して前記ナットから抜き取ることができる。これにより、前記保持具と前記スラブ型枠とを分離し、その後における前記スラブ型枠の解体を支障なく行うことができる。
【００２１】
また、前記固定手段は、前記棒状部材と、前記頭付きボルトと、該頭付きボルトの軸部に螺合された雌ねじ部を有し、また前記棒状部材の他端部を受入れ可能の空間及び該空間に連なる切欠きを有する継手部材と、該継手部材の空間に受け入れられかつ前記棒状部材の他端部に螺合されたナットとからなるものとするときも、同様に、前記頭付きボルトを前記継手部材から抜き取ることができる。前記頭付きボルトに代えて、頭部を有しない単なる雄ねじ部材と該雄ねじ部材が螺合され、前記スラブ型枠に埋め込まれたナットとするときも、また、前記雄ねじ部材を前記ナットから抜き取ることができる。この例では、スラブ型枠に前記ナットが埋め込まれており、これを利用したコンクリート床スラブの施工が可能である。
【００２２】
前記ロッドに２組の複数の脚が互いに間隔をおいて取り付けられた保持具とするときは、１つの保持具で２つのブロックを保持することができる。また、これらの２つの保持具はこれらのロッドをほぼ一直線上に並べかつ両保持具のロッドを互いに連結して配置し、前記固定手段を、１組の脚をおいて交互に配置することができる。
【００２３】
【発明の実施の形態】
図１を参照すると、鉄筋コンクリート床スラブ（以下、単に「床スラブ」という。）１０が示されており、床スラブのコンクリート１２中に、後述の実質的なボイドを形成する複数のブロック１４と、コンクリートを補強する下端鉄筋１６及び上端鉄筋１８とが埋設されている。
【００２４】
このような床スラブ１０中のブロック１４は、床スラブ１０の重量の軽減に資する材料、例えば発泡スチロールのような発泡プラスチック材料で形成されている。このため、前記ブロックは、実質的に、コンクリート１２中にボイド（空間）を形成するのと同様の機能を果し、前記ブロックを使用して形成された床スラブ１０はボイドスラブと称されることがある。
【００２５】
図示のブロック１４は、平面で見て全体に正方形状を呈する。ブロック１４は、また、その横断面で見てほぼ正弦曲線の一部をなす頂面及び平坦面からなる底面と、これらの面に連なる４つの平坦面からなる側面とを有する。ブロック１４の前記頂面を規定する図示の曲面形状は、床面に生じた衝撃音の緩和に寄与するものとして採用されている。ブロック１４は、図示の例に限らず、木製、紙製その他の材料のもの選択、使用され、また他の任意の平面形状のもの及び任意の大きさのものが選択、使用される。
【００２６】
ブロック１４には、その頂面の中央部及びその底面の中央部に開口する比較的大きい穴２０が設けられている。この穴２０は、後記スラブ型枠２２（図２）上に打設されるコンクリートの流動状況の観察、前記コンクリート中に混入した空気抜き等の用に供される。
【００２７】
図２及び図３に示すように、床スラブ１０の形成のために板状のスラブ型枠２２が設置され、さらに、スラブ型枠２２上に該スラブ型枠からその上方に間隔をおいて複数の下端鉄筋１６が縦横に設置される。
【００２８】
ブロック１４は、本発明に係る保持具２４を用いて、下端鉄筋１６の上方空間に保持される。ブロック１４の配置後、該ブロックの上方に複数の上端鉄筋１８が縦横に設置される。図３の左側に下端鉄筋１６の配置態様例を、またその右側上端鉄筋１８の配置態様例を示す。
【００２９】
上端鉄筋１８の設置後、床スラブ１０上にコンクリートが打設され、これにより、下端鉄筋１６、ブロック１４、保持具２４及び上端鉄筋１８が前記コンクリート中に埋設される。
【００３０】
本発明に係る保持具２４は、下端鉄筋１６上に配置される、ブロック１４を受け入れるための枠体２６と、該枠体に受け入れられたブロック１４と下端鉄筋１６との間に間隔を維持するための複数のスペーサ２８とを含む。枠体２６は、下端鉄筋１６に代えて、配筋の便宜上必要に応じて設置されるいわゆる補助鉄筋（図示せず）上に配置されることがある。
【００３１】
図示の枠体２６は、ロッド３０と、ロッド３０を下端鉄筋１６の上方に水平に支持するための複数の脚３２とからなる。ロッド３０及び脚３２は、それぞれ、好ましくは鉄又は鋼材料からなる。
【００３２】
図示の例では、２つの脚３２が、それぞれ、ロッド３０にこれと平行な軸線の周りに回転可能に取り付けられている。図示の例では、両脚３２は、一対の板状の鋼製ピース３４（図４）を介して取り付けられている。
【００３３】
両ピース３４は、ロッド３０の長手方向に互いに間隔をおいて配置されている。各ピース３４には、ロッド３０の挿通を許す１の孔３６と、両脚３２の後記端部４０の挿入を許す２つの孔３８とが設けられている。図示の例では、ロッド３０の孔３６の上方に、脚３２のための両孔３８が位置している。各ピース３４はロッド３０と直交しており、このため、孔３６，３８はロッド３０と平行な軸線を有する。
【００３４】
図示の脚３２は、鋼製の棒を全体にＵ形を呈するように折り曲げてなり、互いに平行である両端部４０及び底部４２を有する。脚の両端部４０は、両ピース３４の互いに相対する面の側から、両ピースの孔３８に挿入されている。また、脚の底部４２は、両ピース３４の相互間隔にほぼ等しい幅寸法（両端部４０間寸法）を有する。
【００３５】
両脚３２は、両端部４０と平行に直線的に伸びる底部４２において、該底部と直交する下端鉄筋１６上に載置することができ、これにより、ロッド３０を下端鉄筋１６の上方位置に支持することができる。脚３２はこれらが回転して、下端鉄筋１６上を滑らないように、後述する制限手段により、その回転が制限される。
【００３６】
前記枠体を構成するロッド３０と両脚３２とがブロック１４のための受入れ空間を規定する。ブロック１４は、脚３２の両端部４０と底部４２とに連なる互いに平行な両側部４４間を通して前記受入れ空間に挿入することができ、これにより、ロッド３０と下端鉄筋１６との間にブロック１４を配置することができる。
【００３７】
ブロック１４の前記受入れ空間の高さ寸法、すなわち前記ブロックの受入れ高さは、ロッド３０の高さ位置により定まる。この実施態様にあっては、ロッド３０の高さ位置は、脚３２が鉛直線となす角度である開き角度ａ（図４）の大きさによって定まる。したがって、両脚３２を回転させて開き角度ａの大きさを調整することにより、ブロック１４の高さ寸法に適合する受入れ高さを選定することができる。
【００３８】
脚３２は、図示の例に代えて、例えばクランク形のものとすることができる。クランク形の脚については、その互いに平行な両端部の一方をプレートの孔３８に挿入される一端部とし、他方を下端鉄筋１６上に載置可能の底部とすることができる。したがって、前記クランク形の脚とするときは、前記クランク形の一対の脚が、各ピース３４を介して、ロッド３０に取り付けられる。
【００３９】
保持具２４は、両脚３２の開き角度ａを維持するために両脚３２の回転運動を制限する制限手段４６を含むものとすることができる。制限手段４６は、図示のの例におけるように、鋼棒の両端部を直角に折り曲げてなる棒状体、すなわち鉤形の両端部４８を有する棒状体からなるものとすることができる。この棒状体は、両脚の底部４２を跨ぐように配置され、その両端部４８がそれぞれ両脚の底部４２に係止し、両脚３２の開き角度ａの増大を阻止する。
【００４０】
制限手段４６は、前記棒状体に代えて、例えば紐や糸とし、あるいは鉄筋を結束するために用いられる結束線からなるものとすることができる。後者の結束線によれば、前記結束線で脚３２を下端鉄筋１６に固定し、これにより、脚３２のロッド３０に対する回転を制限することができる。
【００４１】
ブロック１４は、枠体２６が規定する空間、図示の例ではロッド３０と両脚の側部４４とが規定する空間に上下方向に関して余裕を持って受け入れられ、次いで、ブロック１４をこれがロッド３０に当接するまで持ち上げられ、これによってブロック１４と下端鉄筋１６との間に生じた間隔が複数のスペーサ２８により維持される。
【００４２】
図示の例では、スペーサ２８として、プラスチック製、金属製等の平歯車が用いられている。互いに間隔をおいて配置された２つの平歯車が各脚の底部４２にその軸線の周りに回転可能に取り付けられている。前記平歯車は、ロッド３０及び両脚の側部４４が規定する前記空間に水平にブロック１４を挿入した後、各脚３２をその開き角度ａが増大する方向へ回転運動させることにより、ブロック１４の底面に当たり、自転しながらブロック１４を上方へ押し上げる。なお、前記歯車の数は、各脚について最低１つとすることができる。
【００４３】
脚３２の回転運動をさらに続行すれば、ロッド３０に当接したブロック１４の底面に前記歯車の一部を食い込ませることができ（図４参照）、これにより、ブロック１４の水平方向移動を制限することができる。
【００４４】
前記間隔を維持することにより、下端鉄筋１６とブロック１４との間に後に打設されるコンクリートを充填することができ、所要のかぶり厚さを確保することができる。
【００４５】
スペーサ２８として、図示の平歯車に代えて、三角形、矩形、六角形等の平面形状を有する多角形板を使用することができる。あるいは、また、例えば両脚部３２とは独立した部材である楔部材（図示せず）を用いることができる。脚の底部４２とブロック１４との間に複数の楔部材を打ち込むことにより、前記間隔を維持することができる。
【００４６】
さらに、これらの例に代えて、スペーサ２８として、両脚３２の回転運動を制限する手段４６の一例として示す前記棒状体を利用することができる。前記棒状体をスペーサ２８として利用するときは、前記棒状体の両端部４８間の棒状部分をもって前記間隔を維持する。このために、前記棒状体の直径を選択し、あるいは、前記棒状部分に任意の材料（図示せず）を巻き付け又は前記棒状部分にその周りを回転可能である複数の平歯車（図示せず）を取り付ける。これらの場合には、枠体２６にブロック１４を挿入した後、ブロック１４の両側、すなわち両脚の各側部４４とブロック１４との間に前記棒状体を差し渡しかつこれらの両端部４８を両脚の底部４２に掛ける。次いで、ブロック１４をこれがロッド３０に当たるように持ち上げておく間に、両脚の底部４２上の前記２つの棒状体を互いに他の一方に向けて適当な位置まで移動させる。これにより、前記棒状体の棒状部分、巻き付け材料又は平歯車がブロック１４に食い込み、両脚の底部４２とブロック１４との間に前記間隔が維持される。
【００４７】
スペーサ２８として利用する前記棒状体は、図示の例におけるような円形の横断面形状を有するものに代えて、前記円形以外の例えば矩形の横断面形状、好ましくは上下方向に関して扁平な横断面形状を有するものとすることができる。また、前記棒状体の両端部４８間の棒状部分のみが矩形の横断面形状を有するもの、あるいは、前記棒状部分に１又は複数の板状片を該板状片の表裏面がそれぞれ上下を向くように取り付けたものとすることができる。これらの例において、前記矩形の横断面形状の大きさ及び前記板状片の表裏面の大きさを比較大きいものとするときは、１の棒状体をもってこの上にブロック１４を載置し得る前記スペーサとすることができる。また、このような１の棒状体は、図１でみて、両脚の底部４２の長手方向におけるほぼ中間位置に配置することができる。
【００４８】
保持具２４のロッド３０は、また、この上に上端鉄筋１８を支持する支持手段としての作用をなす。このとき、ロッド３０は、上端鉄筋１８からのブロック１４の保護作用をもなす。
【００４９】
保持具２４は、１の枠体２６と複数のスペーサ２８とを有するものとすることも、また、１つのロッド３０を共有する複数の枠体２６と各枠体に対応した複数（図示の例では４つ）のスペーサ２８とを有するものとすることができる。
【００５０】
例えば、図３に示すように、１つのロッド３０を共有する２つの枠体２６と各枠体に対応した全部で８つのスペーサ２８とを有する保持具２４とすることができる。両枠体２６の２対の脚３２は、ロッド３０の軸線方向に関して、互いに間隔をおいて配置され、前記したと同様に取り付けられている。これによれば、２つの枠体を有する複数の保持具２４を、これらのロッド３０の一端部が互いに重なり合うように一直線上に配置し、かつこれらの重合部分を互いに連結することができる。
【００５１】
一直線上に配置された複数の保持具２４については、個々の枠体２６にではなく、１つおきに、後記固定手段（図３に三角形の記号で示す）４９を配置することができる。固定手段４９が配置された両枠体２６間の枠体２６は、該枠体下の下端鉄筋１６と共に、両枠対２６の固定手段４９の作用により、下方に向けて押し下げられ、前記コンクリートの打設時におけるブロック１４および下端鉄筋１６の浮き上がりが防止される。
【００５２】
保持具２４は、さらに、枠体２６をスラブ型枠２２に固定するための固定手段４９を含むものとすることができる。固定手段４９は、ブロックの孔２０に通される。
【００５３】
固定手段４９は、その一例を図２に示すように、ブロックの孔２０を経て伸びる棒状部材５０と、頭付きボルト５２と、ナット５４とからなる。
【００５４】
棒状部材５０は、鉤形に折り曲げられた一端部（上端部）５６と、雄ねじが設けられた他端部（下端部）５８とを有する。鉤形の一端部５６はこれをロッド３０に引掛けることにより該ロッドに係止することができる。
【００５５】
頭付きボルト５２は、その軸部が、スラブ型枠２２に予め設けられた穴（図示せず）に該スラブ型枠の下方から通され、上方に伸びている。また、ナット５４は棒状部材５０の下端部５８と頭付きボルト５２の軸部とに螺合され、これにより、棒状部材５０が緊張状態におかれ、枠体２６がスラブ型枠２２に固定されている。
【００５６】
棒状部材５０の緊張により、保持具２４を介して、下端鉄筋１６がスラブ型枠２２に押し付けられる。これにより、前記コンクリートの打設によってブロック１４に生じる浮力による、ブロック１４を浮き（フロート）とした下端鉄筋１６の浮き上がりを防止することができる。
【００５７】
また、頭付きボルト５２がスラブ型枠２２の下方からこれを上方へ貫通していることから、前記コンクリートの固化後、頭付きボルト５２を回して前記コンクリート中に埋設されたナット５４から分離し、これを撤去することができる。これにより、脱型時におけるスラブ型枠２２の撤去作業を支障なく行うことができる。
【００５８】
固定手段４９の他の例を図５及び図６にそれぞれ示す。
【００５９】
図５に示す固定手段４９は、図２に示す前記した固定手段におけると同様の棒状部材５０及び頭付きボルト５２を有するが、継手部材６０及びナット６２を使用している点で図２の固定手段と異なる。
【００６０】
継手部材６０は下部及び上部からなる。継手部材６０の前記下部は、頭付きボルト５２の軸部に螺合された雌ねじ部６４を有する。また、前記上部は、棒状部材の下端部５８を受入れ可能である空間６６と、該空間に連なる切欠き６８とを有する。切欠き６８は、継手部材６０の側方及び上方に向けて開放している。
【００６１】
棒状部材の下端部５８は、切欠き６８を通して空間６６内に導くことができる。また、棒状部材の下端部５８に連なる他の部分は、切欠き６８を経て上方へ突出している。
【００６２】
ナット６２は、棒状部材の下端部５８に螺合されている。下端部５８に螺合されたナット６２は、継手部材の側方から切欠き６８を通して空間６６内に導くことができる。空間６６内のナット６２は継手部材６０の内壁面に当接し、これにより、棒状部材の下端部５８が継手部材６０からその上方へ抜け出ないようにされている。
【００６３】
この例では、棒状部材の下端部５８におけるナット６２の螺合位置を調整することにより、棒状部材５０を緊張状態におき、枠体２６をスラブ型枠２２に固定することができる。この例においても、図２に示す例におけると同様、スラブ型枠２２の下方で頭付きボルト５２を抜き出すことができる。
【００６４】
図６に示す固定手段４９は、図５に示す固定手段におけると同様の棒状部材５０、該棒状部材に螺合されたナット６２及び継手部材６０を有するが、頭部を有しないボルト７０及びスラブ型枠２２に埋め込まれたナット７２を使用している点で図５の固定手段と異なる。
【００６５】
ボルト７０は、スラブ型枠２２の下方からナット７２及び継手部材６０の雌ねじ部６４に順次螺合されている。また、ナット７２は、その雌ねじが設けられた一部（筒状部）が、予めスラブ型枠２２に設けられた孔７４に部分的に通され、残りのフランジ状の部分が複数の木ねじ７６でスラブ型枠２２に締結されている。
【００６６】
この例においては、ナット７２を経ての継手部材６０へのボルト７０の螺合により、継手部材６０がスラブ型枠２２に固定され、継手部材の空間６６内のナット６２の締め付けにより、棒状部材５０を緊張させることができる。また、ボルト７７は、スラブ型枠２２の下方から緩めて抜き取ることができる。なお、ナット７２が取り付けられたスラブ型枠２２は、他の鉄筋コンクリート床スラブの形成のために転用することができる。
【００６７】
保持具２４の枠体２６は、これをスラブ型枠に固定する図示の例に代えて、下端鉄筋１６に固定してもよい。
【００６８】
下端鉄筋１６への固定は、例えば、長寸法の小さい棒状部材を有する固定手４８を用いて、下端鉄筋１６をスラブ型枠２２に固定し、かつ、鉤形に折り曲げられた両端部を有する複数の棒状部材（図示せず）を用いて、保持具のロッド３０を下端鉄筋１６に連結することにより行うことができる。
【図面の簡単な説明】
【図１】鉄筋コンクリート床スラブの横断面図である。
【図２】スラブ型枠上の鉄筋上のブロック及びその保持具の正面図である。
【図３】スラブ型枠上へのブロックの配置例を示す概略的な平面図である。図の左側に下端鉄筋が、また図の右側に上端鉄筋がそれぞれ別個に示されている。
【図４】保持具の側面図であって、異なる厚さ寸法を有するブロックに適用したときに脚の回転角度が異なることを示す側面図である。
【図５】枠体の固定手段の他の一例を示す部分断面図である。
【図６】枠体の固定手段の他の一例を示す部分断面図である。
【符号の説明】
１０  鉄筋コンクリート床スラブ
１４  ブロック
１６  下端鉄筋
２２  スラブ型枠
２４  保持具
２６  枠体
２８  スペーサ
３０  ロッド
３２  脚
４６  制限手段
４９  固定手段
【図１】
2004346566.tif 000003
【図２】
2004346566.tif 000004
【図３】
2004346566.tif 000005
【図４】
2004346566.tif 000006
【図５】
2004346566.tif 000007
【図６】
2004346566.tif 000008